(57)【要約】【課題】駆動部の駆動力の大きさや羽根群を構成する部材の質量等が異なる場合でも、緩衝部材の取付向きを変更し、羽根と衝突する面を変えることで、羽根のバウンド量を調整できるフォーカルプレーンシャッタを提供する。【解決手段】シャッタ地板１と、シャッタ地板１に回動可能に取り付けられたアーム２ａ、２ｂとアーム２ａ、２ｂに取り付けられた少なくとも１枚の羽根２ｃ、２ｄ、２ｅとを有する先羽根群２と、先羽根群２を構成する羽根２ｃ、２ｄ、２ｅを停止可能な衝突面６ａ、６ｂ、６ｃ、６ｄを複数有し、衝突面６ａ、６ｂ、６ｃ、６ｄのいずれかが先羽根群２を構成する羽根２ｃ、２ｄ、２ｅに対向するように、シャッタ地板１に取り付けられ、羽根２ｃ、２ｄ、２ｅに対向する向きにおける少なくとも２つの衝突面６ａ、６ｂ、６ｃ、６ｄのシャッタ地板１上の位置が互いに異なる緩衝部材６と、を備える。【選択図】図１
2016161728.tif 000002
【特許請求の範囲】
【請求項１】
地板と、
前記地板に回動可能に取り付けられたアームと該アームに取り付けられた少なくとも１枚の羽根とを有する羽根群と、
前記羽根群を構成する羽根を停止可能な衝突面を複数有し、該衝突面のいずれかが前記羽根群を構成する羽根に対向するように、前記地板に取り付けられ、前記羽根に対向する向きにおける少なくとも２つの衝突面の前記地板上の位置が互いに異なる緩衝部材と、
を備えることを特徴とするフォーカルプレーンシャッタ。
【請求項２】
前記緩衝部材は、前記衝突面からそれぞれ距離が異なる偏心した軸心を中心として、前記地板に取り付けられている、
ことを特徴とする請求項１に記載のフォーカルプレーンシャッタ。
【請求項３】
前記緩衝部材は前記軸心を中心軸とした貫通孔を備え、前記地板に形成された突起に前記貫通孔が装着される、
ことを特徴とする請求項１又は２に記載のフォーカルプレーンシャッタ。
【請求項４】
前記地板は前記緩衝部材を取り付けるための凹部を備える、
ことを特徴とする請求項１乃至３のいずれかに記載のフォーカルプレーンシャッタ。
【請求項５】
前記地板は、取り付けられた前記緩衝部材を押止するための爪部を備える、
ことを特徴とする請求項１乃至４のいずれかに記載のフォーカルプレーンシャッタ。
【請求項６】
前記緩衝部材は前記爪部を収容する収容溝を備える、
ことを特徴とする請求項５に記載のフォーカルプレーンシャッタ。
【請求項７】
前記地板は、取り付けられた前記緩衝部材の前記羽根群に対向する該衝突面に沿って、該衝突面と前記羽根群とを視認可能な貫通溝を備える、
ことを特徴とする請求項１乃至６のいずれかに記載のフォーカルプレーンシャッタ。
【請求項８】
光学系から撮像素子に至る光経路上に、請求項１乃至７のいずれか１項に記載のフォーカルプレーンシャッタを備える撮像装置。
【発明の詳細な説明】
【技術分野】
【０００１】
本発明は、フォーカルプレーンシャッタに関する。
【背景技術】
【０００２】
カメラ用のフォーカルプレーンシャッタは、略中央部に画枠を有し、先羽根群と後羽根群とを同一方向へ順次作動させることにより、先羽根群のスリット形成羽根と後羽根群のスリット形成羽根とによって形成されるスリットにより露光する。
【０００３】
各羽根群は、露光作動時に高速で駆動ピンにより駆動される。このため、停止時に、駆動ピンが衝突して強い衝撃を受け、スリット形成羽根がバウンドし、スリット形成縁が露光開口部内に再度侵入し、露光むらを生じさせてしまうおそれがある。
このような問題を解決するため、スリット形成羽根のバウンドを緩和させる緩衝部材を備えるフォーカルプレーンシャッタが提案されている。
【０００４】
例えば、特許文献１には、地板の裏面に弾性を有する緩衝部材を有するフォーカルプレーンシャッタが開示されている。
例えば特許文献２には、駆動ピンが当接する長穴の端部に緩衝部材を取り付けたフォーカルプレーンシャッタが開示されている。
また、スリット形成羽根のバウンドによりスリット形成縁が露光開口部内に再度侵入しているときは、レリーズできないフォーカルプレーンシャッタが提案されている。
【先行技術文献】
【特許文献】
【０００５】
【特許文献１】特開平８−２９７３１１号公報
【特許文献２】特開２００８−１９７３８３号公報
【発明の概要】
【発明が解決しようとする課題】
【０００６】
スリット形成羽根のバウンド量は、駆動部の駆動力の大きさや羽根群を構成する部材の質量等によって変化する。このため、特許文献１、２に開示された構成のフォーカルプレーンシャッタでは、駆動部の駆動力の大きさや羽根群を構成する部材の質量等が変化する度に、緩衝部材を個別に設計及び作製し、スリット形成羽根のバウンド量を確認する必要がある。このため、フォーカルプレーンシャッタの仕様（製品）毎に緩衝部材と配置を個別に設計する必要が生じ、煩雑である。
【０００７】
本発明は、上記実情に鑑みてなされたものであり、スリット形成羽根のバウンド量をより簡単に調整することが可能なフォーカルプレーンシャッタとそのフォーカルプレーンシャッタを備える撮像装置を提供することを目的とする。
【課題を解決するための手段】
【０００８】
上記目的を達成するため、本発明に係るフォーカルプレーンシャッタは、
地板と、
前記地板に回動可能に取り付けられたアームと該アームに取り付けられた少なくとも１枚の羽根とを有する羽根群と、
前記羽根群を構成する羽根を停止可能な衝突面を複数有し、該衝突面のいずれかが前記羽根群を構成する羽根に対向するように、前記地板に取り付けられ、前記羽根に対向する向きにおける少なくとも２つの衝突面の前記地板上の位置が互いに異なる緩衝部材と、
を備える。
【０００９】
前記緩衝部材は、例えば、前記衝突面からそれぞれ距離が異なる偏心した軸心を中心として、前記地板に取り付けられている。
【００１０】
例えば、前記緩衝部材は前記軸心を中心軸とした貫通孔を備え、前記地板に形成された突起に前記貫通孔が装着される。
【００１１】
例えば、前記地板は前記緩衝部材を取り付けるための凹部を備える。
【００１２】
例えば、前記地板は、取り付けられた前記緩衝部材を押止するための爪部を備える。
【００１３】
前記緩衝部材は前記爪部を収容する収容溝を備える。
【００１４】
前記地板は、取り付けられた前記緩衝部材の前記羽根群に対向する該衝突面に沿って、該衝突面と前記羽根群とを視認可能な貫通溝を備える。
【００１５】
また、本発明に係る撮像装置は、上述のフォーカルプレーンシャッタを備えることを特徴とする。
【発明の効果】
【００１６】
本発明によれば、フォーカルプレーンシャッタに使用される駆動部の駆動力の大きさや羽根群を構成する部材の質量等が異なる場合でも、緩衝部材の取付向きを変更し、羽根と衝突する面を変えることで、羽根のバウンド量を調整できる。
【図面の簡単な説明】
【００１７】
【図１】本発明の実施形態に係るフォーカルプレーンシャッタの正面図（ａ）とＡ−Ａ断面図（ｂ）である。
【図２】実施形態に係るフォーカルプレーンシャッタのシャッタ地板の正面図（ａ）と平面図（ｂ）とＢ−Ｂ断面図（ｃ）である。
【図３】実施形態に係るフォーカルプレーンシャッタの先羽根群と後羽根群が畳まれた状態示す正面図である。
【図４】実施形態に係るフォーカルプレーンシャッタの後羽根群が展開した状態を示す正面図（ａ）と緩衝部材のＣ−Ｃ断面図（ｂ）である。
【図５】実施形態に係るフォーカルプレーンシャッタの緩衝部材の正面図（ａ）と右側面図（ｂ）とＤ−Ｄ断面図（ｃ）である。
【図６】フォーカルプレーンシャッタとそれに取り付ける緩衝部材の配置（向き）の組み合わせの例を示すテーブルである。
【図７】本発明の他の実施形態に係るフォーカルプレーンシャッタの先羽根群と後羽根群が畳まれた状態示す正面図である。
【図８】本発明の他の実施形態に係るフォーカルプレーンシャッタの緩衝部材の正面図である。
【発明を実施するための形態】
【００１８】
以下、本発明の実施形態の一例に係るフォーカルプレーンシャッタについて図面を参照して説明する。
【００１９】
本発明の実施形態に係るフォーカルプレーンシャッタ１０は、図１（ｂ）に示すように、シャッタ地板１と先羽根群２と後羽根群３と補助地板４と中間板５と緩衝部材６とを備える。
【００２０】
シャッタ地板１は、樹脂で成形された板状部材であり、図２（ａ）（ｂ）（ｃ）に示すようにその略中央部には画枠１ａが形成されている。また、画枠１ａの右方に二つの円弧状の孔１ｂ、１ｃが形成されている。円弧状の孔１ｃのほぼ中心位置には、後羽根群３の回転軸１ｅが立設され、円弧状の孔１ｂのほぼ中心位置には、先羽根群２の回転軸１ｄが立設されている。また、回転軸１ｅに隣接して後羽根群３の回転軸１ｇが立設され、回転軸１ｄに隣接して先羽根群２の回転軸１ｆが立設されている。
【００２１】
また、画枠１ａの上方には、矩形の凹部１ｈが形成されている。そして、凹部１ｈの中央には円柱状の突起１ｉが形成されている。また、凹部１ｈの下部には、横長の貫通溝１ｊが形成されている。また、凹部１ｈの左右端の中央には、凹部１ｈの一部を覆うように円柱状の突起である爪部１ｋ、１ｌが形成されている。また、シャッタ地板１の四隅には、突起１ｍ、１ｎ、１ｏ、１ｐが立設されている。
【００２２】
シャッタ地板１の正面側には、図１（ａ）（ｂ）に示すように、補助地板４と中間板５が所定の間隔を空けて、突起１ｍ、１ｎ、１ｏ、１ｐを介して取り付けられている。また、補助地板４と中間板５には、画枠１ａと同一形状の画枠４ａ、５ａがそれぞれ形成されている。なお、図面の見易さを考慮し、後述する図３、図４及び図６では、補助地板４と中間板５を省略している。
【００２３】
シャッタ地板１と中間板５の間の空間領域により先羽根群２の羽根室が形成され、補助地板４と中間板５の間の空間領域により後羽根群３の羽根室が形成される。シャッタ地板１の背面側には、先羽根群２用の駆動部（先羽根用駆動部）と後羽根群３用の駆動部（後羽根用駆動部）が取り付けられている。各駆動部は、例えば、駆動バネと電磁石を備えるソレノイドから構成される。先羽根用駆動部は、先羽根群２を駆動するための作動ピン２ｇを備え、後羽根用駆動部は後羽根群３を駆動するための作動ピン３ｇを備える。作動ピン２ｇは、孔１ｂを、作動ピン３ｇは、孔１ｃを貫通して各羽根室内に伸長し、先羽根群２に形成された係合孔２ｆと後羽根群３に形成された係合孔３ｆにそれぞれ係合する。先羽根用駆動部は、作動ピン２ｇを孔１ｂ内で駆動することにより、先羽根群２を駆動する同様に、後羽根用駆動部は、作動ピン３ｇを孔１ｃ内で駆動することにより、後羽根群３を駆動する。
【００２４】
なお、シャッタ地板１は撮像装置のレンズ側、補助地板は、ＣＭＯＳ（Complementary Metal Oxide Semiconductor）素子等の撮像素子側となるように撮像装置の筐体に組み付けられている。
【００２５】
図３に示すように、先羽根群２は、二つのアーム２ａ、２ｂと、それらにそれぞれの一端を枢支された３枚の羽根２ｃ、２ｄ、２ｅを備える。アーム２ａ、２ｂの最先端に枢支されている羽根２ｃはスリット形成羽根として作用する。なお、シャッタ地板１側から正面側に向けて、アーム２ａ、２ｂ、羽根２ｃ、２ｄ、２ｅの順に配置されている。
【００２６】
アーム２ａ、２ｂは、シャッタ地板１の軸１ｄ、１ｆに回転可能に取り付けられていて、アーム２ａには、孔２ｆが形成されている。前述のように、孔２ｆには先羽根用駆動部（図示せず）の作動ピン２ｇが係合している。先羽根用駆動部が軸１ｄを中心に孔１ｂ内で作動ピン２ｇを時計方向へ回転すると、図１（ａ）に示すように先羽根群２は上方へ展開する。一方、先羽根用駆動部が軸１ｄを中心に作動ピン２ｇを反時計方向へ回転すると、先羽根群２は下方へ畳まれ、図３及び図４（ａ）に示す重畳状態になる。
なお、図１（ｂ）に示すように先羽根群２の正面側には中間板５が配置され、シャッタ地板１に取り付けられている。
【００２７】
また、図１（ｂ）に示すように中間板５の正面側には後羽根群３が配置されている。後羽根群３は、上記した先羽根群２を上下に反転させた構成であり、図３に示すように、二つのアーム３ａ、３ｂと、それらにそれぞれの一端部を枢支した３枚の羽根３ｃ、３ｄ、３ｅを備える。そして、それらのうちアーム３ａ、３ｂの最先端に枢支された羽根３ｃはスリット形成羽根として作用する。
【００２８】
また、アーム３ａ、３ｂは、シャッタ地板１の軸１ｅ、１ｇに回転可能に取り付けられていて、アーム３ａには、孔３ｆが形成されている。前述のように、孔３ｆには後羽根用駆動部（図示せず）の作動ピン３ｇが係合している。後羽根用駆動部が、軸１ｅを中心に孔１ｃ内で作動ピン３ｇを反時計方向へ回転すると、図４（ａ）に示すように後羽根群３は下方へ展開する。そして、後羽根用駆動部が作動ピン３ｇを時計方向へ回転すると、後羽根群３は上方へ畳まれ、図３に示す重畳状態になる。
また、図１（ａ）、（ｂ）に示すように、後羽根群３の正面側には補助地板４が配置され、中間板５を挟んでシャッタ地板１に取り付けられている。
【００２９】
緩衝部材６は、図５（ａ）、（ｂ）に示すように、先羽根群２を停止させる衝突面６ａ、６ｂ、６ｃ、６ｄを側面に有する矩形の板状部材である。緩衝部材６は、シリコンゴムやブチルゴム等の弾性材料から形成され、突起１ｉと同一径の貫通孔６ｅを緩衝部材６は有する。
【００３０】
なお、貫通孔６ｅの中心軸から緩衝部材６の衝突面６ａ、６ｂ、６ｃ、６ｄまでの距離（図５に示すＬ１、Ｌ２、Ｌ３、Ｌ４）はそれぞれ異なり、緩衝部材６の中心から偏心した位置に形成されている。また、衝突面６ａ、６ｂ、６ｃ、６ｄまでの距離Ｌ１、Ｌ２、Ｌ３、Ｌ４は、突起１ｉの中心から凹部１ｈの端部までの距離（図１（ｂ）に示すＬ６、図４（ｂ）に示すＬ７、Ｌ８）のいずれよりも小さく形成されている。したがって、緩衝部材６は、貫通孔６ａを突起１ｉに嵌入させ、衝突面６ａ、６ｂ、６ｃ、６ｄのいずれか１つを先羽根群２に対向するように取付向きを回転させて、凹部１ｈに取り付けることができる。
【００３１】
また、凹部１ｈの左右の端部の中央には、凹部１ｈの一部を覆うように円柱状の突起である爪部１ｋ、１ｌが形成されている（図２（ａ）、（ｂ）及び図４（ｂ）を参照）。そして、緩衝部材６の正面には、図５（ａ）、（ｂ）、（ｃ）に示すように、爪部１ｋ、１ｌを収容するための収容溝６ｆが各辺に形成されている。したがって、緩衝部材６を凹部１ｈに取り付けたときに、爪部１ｋ、１ｌは、収容溝６ｆに収容され収容溝６ｆの表面を押止し、緩衝部材６は、爪部１ｋ、１ｌにより凹部１ｈに固定される。
【００３２】
また、凹部１ｈの下部には、図１（ｂ）及び図２（ａ）、（ｃ）に示すように横長の貫通溝１ｊが形成されている。貫通溝１ｊの下端から突起１ｉの中心までの距離Ｌ５（図２（ａ）（ｂ）参照）は、貫通孔６ｅの中心から衝突面６ａ、６ｂ、６ｃ、６ｄまでの距離Ｌ１、Ｌ２、Ｌ３、Ｌ４（図５（ｂ）、（ｃ）参照）のいずれよりも大きく形成されている。そして、貫通溝１ｊの上端から突起１ｉの中心までの距離Ｌ７（図２（ａ）、（ｂ）参照）は、貫通孔６ｅの中心から緩衝部材６の各辺までの距離Ｌ１、Ｌ２、Ｌ３、Ｌ４のいずれよりも小さく形成されている。したがって、緩衝部材６の下端の先羽根群２に対向する衝突面は、貫通溝１ｊの開口の間に配置される。そのため、先羽根群２が衝突面からバウンドする量を貫通溝１ｊから確認することが可能となる。
【００３３】
なお、本発明の実施形態に係るフォーカルプレーンシャッタ１０には、駆動ピンが移動して長孔の端部に衝突する際の衝撃を緩和するためのブレーキ機構や、先羽根をセットするためのセット機構などの各種部材が設けられているが、これらの機構には周知の構成を採用することができる。また、これらの機構の構成は、本願発明と直接には関係ないので、本願発明を分かり易くするため、説明を省略した。
【００３４】
次に、上記構成を有するフォーカルプレーンシャッタ１０の羽根群のバウンド量の調整手順、すなわち、緩衝部材６を取り付ける手順を説明する。
【００３５】
ここでは、理解を容易にするため、フォーカルプレーンシャッタ１０は、他の構造はほとんど同一であるが、先羽根用駆動部の仕様（駆動能力）と先羽根群２の構成（重量・慣性）が異なる４つの製品Ｐ１〜Ｐ４…を含んでいるとする。一方、緩衝部材６は、同一仕様の一種類のみが用意されている。
【００３６】
まず、製品Ｐ１の設計段階あるいは試作段階において、中心からの距離が最大のＬ１である衝突面６ｃが先羽根群２に対向する向きに、緩衝部材６を突起１ｉに取り付ける。
続いて、シャッタをリレーズする。この操作に応答して、先羽根用駆動部は、先羽根群２を、図３に示すオープン状態から、図１に示すように、羽根２ｃ、２ｄ、２ｅが画枠１ａを覆うように展開させる。
【００３７】
この際、スリット形成羽根２ｃは、緩衝部材６の下端の衝突面６ｃに衝突して作動を停止する。この時、スリット形成羽根２ｃが衝突面に衝突してバウンドする量を、貫通溝１ｊを通して観測し、測定する。
【００３８】
続いて、衝突面を変更するため、緩衝部材６を凹部１ｈから取り外し、中心からの距離がＬ１の次に大きいＬ２である衝突面６ａが先羽根群２に向くように、緩衝部材６を突起１ｉに取り付ける。続いて、シャッタをリレーズし、スリット形成羽根２ｃのバウンド量を測定する。
【００３９】
同様にして、中心からの距離がＬ３，Ｌ４の衝突面６ｄ、６ｂについても、その衝突面が先羽根群２に向くように、緩衝部材６を取り付けた時のスリット形成羽根２ｃのバウンド量を測定する。
【００４０】
こうして、４つの衝突面６ａ〜６ｄについてスリット形成羽根２ｃのバウンド量を測定し、バウンド量が最小となる衝突面を求め、その衝突面が先羽根群２を向く配置（向き）を、製品Ｐ１についての、緩衝部材６の配置（向き）とする。なお、緩衝部材６の配置（向き）を決まれば、緩衝部材６を接着剤で凹部１ｈに固定してもよい。  
【００４１】
なお、理解を容易にするために、中心からの距離Ｌ１〜Ｌ４の順に全てについてバウンド量を測定してから緩衝部材６の配置（向き）を判断する例について示したが、もちろん、簡略してもよい。例えば、距離Ｌ１、距離Ｌ２について測定し、距離Ｌ２で好適なバウンド量が測定されれば、距離Ｌ３以降について測定しなくてもよい。また、距離Ｌ１ではなく距離Ｌ２から測定を開始してもよい。また、できれば、そこで測定を中断してもよい。
【００４２】
製品Ｐ２〜Ｐ４についても同様にして、それぞれ、４つの衝突面についてバウンド量を測定し、バウンド量が最小となる衝突面を求め、その衝突面が先羽根群２を向く配置（向き）を、製品Ｐ２〜Ｐ４についての緩衝部材６の配置（向き）とする。
【００４３】
製品Ｐ１〜Ｐ４を製造する段階では、例えば、図６に例示するような設計・試作段階で求めておいた設置用テーブルを参考にし、緩衝部材６を取り付け対象の製品に適した向きで凹部１ｈに配置する。これにより、各製品にとって適切な衝突面が、スリット形成羽根２ｃに対向する位置に配置される。なお、緩衝部材６の向きが分かるように、緩衝部材６に矢印を付けたり、各衝突面に符号を振ったりしても良い。
【００４４】
こうして製造されたフォーカルプレーンシャッタ１０が、レンズ等の光学系からＣＭＯＳ素子等の撮像素子に至る光路上に配置され、撮像装置が製造される。
【００４５】
このように、本実施の形態に係る緩衝部材６とその取り付け構造によれば、共通の緩衝部材６を用いて、異なった仕様の複数のフォーカルプレーンシャッタ１０のスリット形成羽根のバウンド量を適量に抑えることができる。従って、装置の設計・調整等が容易になる。
【００４６】
以上、本発明に係る実施形態について説明したが、具体的な構成はこの実施形態に限られるものではなく、本発明の要旨を逸脱しない範囲で、構成を適宜変更（構成要素の削除も含む）することが可能である。
【００４７】
例えば、緩衝部材６を一種類としたが、緩衝部材も複数種類用意し、適当な緩衝部材を適当な向きにシャッタ地板１に配置するようにしてもよい。
【００４８】
例えば、上記実施形態では、画枠１ａの上方に緩衝部材６を設け、先羽根群２に属するスリット形成羽根２ｃのバウンド量を調整しているがこれは一例である。例えば、図７に示すように、先羽根群２の下方のシャッタ地板１に緩衝部材６を設け、下方へ作動する先羽根群２のバウンド量を調整してもよい。また、補助地板４の画枠４ａの下方に緩衝部材６を設け、下方へ作動する後羽根群３のスリット形成羽根３ｃのバウンド量を調整してもよく、後羽根群３の上方の補助地板４に緩衝部材６を設け、上方へ作動する後羽根群３のバウンド量を調整してもよい。
【００４９】
また、上記実施形態では、貫通孔６ｅの中心軸と衝突面６ａ、６ｂ、６ｃ、６ｄとの距離が互いに異なるがこれは一例である。３以上の衝突面があるときに、２つの衝突面の中心軸からの距離が異なればよい。
【００５０】
また、距離を異ならせるだけでなく、例えば、貫通孔６ｅを緩衝部材６の中心に形成し、衝突面６ａ、６ｂ、６ｃ、６ｄの材質を変えてバウンド量を調整してもよい。また、衝突面の中心からの距離と材質とが互いに異なるようにしてもよい。
【００５１】
また、上記実施形態では、緩衝部材６を矩形としたがこれは一例である。例えば、図８に示すように８角形とし、衝突面７ａ〜７ｈと貫通孔７ｉと収容溝７ｊを形成してもよい。
また、上記実施形態では、緩衝部材６に貫通孔６ｅを形成し、シャッタ地板１に突起１ｉを形成したがこれは一例である。例えば、緩衝部材６に突起を形成し、シャッタ地板１に貫通孔を形成してもよい。また、上記実施形態では、緩衝部材６に円孔である貫通孔６ｅを形成し、シャッタ地板１に円柱形状の突起１ｉを形成したがこれは一例である。例えば、緩衝部材６に矩形の貫通孔を形成し、シャッタ地板１に角柱形状の突起を形成してもよい。
【００５２】
また、上記実施形態では、爪部１ｋ、１ｌを凹部１ｈの左右端の中央に形成したがこれは一例である。例えば、突起部の先端に形成してもよい。
その他、緩衝部材６の配置を適宜変更できるならば、その取り付け自体は適宜変更可能である。
【００５３】
また、上記実施形態では、先羽根群２と後羽根群３の双方を備えるが、これは一例である。例えば、先羽根群２のみを備えてもよい。また、上記実施形態では、先羽根群２と後羽根群３は３枚の羽根を備えるが、これは一例である。例えば、少なくとも１枚を備えればよい。
【００５４】
また、上記実施形態では、シャッタ地板１と中間板５との間に先羽根群２が、補助地板４と中間板５との間に後羽根群３が配置されているが、これは一例である。例えば、シャッタ地板１と中間板５との間に後羽根群３が、補助地板４と中間板５との間に先羽根群３が配置されていてもよい。
また、上記構成において、先羽根群２、後羽根群３、緩衝部材６等の取り付け先は、所期の機能が得られるならば任意であり、任意の地板、例えば、シャッタ地板１、補助地板４、中間板５等に配置可能である。
【００５５】
上記実施の形態では、異なる製品（仕様の異なるシャッタ）において、スリット形成羽根のバウンドの量を調整する例を示したが、同一の製品（仕様が同一のシャッタ）において、製造時のばらつきによる、スリット形成羽根のバウンドの量を調整するために、上述の緩衝部材６とその取り付け構造を採用してもよい。
【００５６】
この場合、例えば、１つのフォーカルプレーンシャッタが完成すると、まず、デフォルトの位置に緩衝部材６を取り付けてスリット形成羽根のバウンド量を測定し、不合格ならば、適当なバウンド量が得られる位置（向き）に、緩衝部材６を回転させればよい。
【００５７】
また、１つのフォーカルプレーンシャッタにおいて、当初は適切なバウンド量が達成されていた場合であっても、経年劣化などにより、バウンド量が大きくなることがある。このような場合でも、適当なバウンド量が得られる位置（向き）に、緩衝部材６を回転させればよい。
【符号の説明】
【００５８】
１０…フォーカルプレーンシャッタ
１…シャッタ地板
１ａ、４ａ、５ａ…画枠
１ｈ…凹部
１ｉ…突起
１ｊ…貫通溝
１ｋ、１ｌ…爪部
２…先羽根群
２ａ、２ｂ、３ａ、３ｂ…アーム
２ｃ、２ｄ、２ｅ、３ｃ、３ｄ、３ｅ…羽根
３…後羽根群
４…補助地板
５…中間板
６…緩衝部材
６ａ、６ｂ、６ｃ、６ｄ…衝突面
６ｅ…貫通孔
６ｆ…収容溝
【図１】
2016161728.tif 000003
【図２】
2016161728.tif 000004
【図３】
2016161728.tif 000005
【図４】
2016161728.tif 000006
【図５】
2016161728.tif 000007
【図６】
2016161728.tif 000008
【図７】
2016161728.tif 000009
【図８】
2016161728.tif 000010